(57)【要約】【課題】配線ダクト上に所要の配線スペースを確保しやすく、簡素な構成で組立作業性及び機能性が高い配線ダクト及び配線カバーの取付構造を提供する。【解決手段】前後方向に間隙を空けて後端縁１Ａ，１Ａを対向させて配設した２枚の天板１，１を少なくとも有し、天板１，１を支持する複数の脚体と、天板１，１の下面１Ｂ，１Ｂ側後端部に位置して左右方向へ延びる、前記脚体同士を連結する一対の平行な連結ビーム３，３とを含む家具Ｂ１における、配線ダクト４及び配線カバー５，５の取付構造である。連結ビーム３，３を前後方向に繋ぐ連結体Ｚ１を、左右方向に離間させて複数備える。連結体Ｚ１は、連結ビーム３，３間にわたる連結部７と、連結部７から下方へ突出して下方の配線ダクト４を支持する配線ダクト支持部８と、連結部７よりも上方の配線カバー５，５を支持する配線カバー支持部９とを有する。【選択図】図１４
2019083879.tif 000002
【特許請求の範囲】
【請求項１】
前後方向に間隙を空けて後端縁を対向させて配設した２枚の天板を少なくとも有し、
前記天板を支持する複数の脚体と、
前記天板の下面側後端部に位置して左右方向へ延びる、前記脚体同士を連結する一対の平行な連結ビームとを含む、天板を備えた家具における、
前記間隙の下方に備える配線ダクトの取付構造、及び前記間隙に備える配線カバーの取付構造であって、
前記一対の連結ビームを前後方向に繋ぐ連結体を、左右方向に離間させて複数備え、
前記連結体は、
前記一対の連結ビーム間にわたる連結部と、
前記連結部から下方へ突出して前記連結部よりも下方の前記配線ダクトを支持する配線ダクト支持部と、
前記連結部よりも上方の前記配線カバーを支持する配線カバー支持部と、
を有することを特徴とする、
配線ダクト及び配線カバーの取付構造。
【請求項２】
前記一対の連結ビームは、
それらの対向面に係合凸部を備え、
前記連結体は、
前記連結部の前後方向両端部に、前記係合凸部に係合する、下方に開口する係合凹部を備える、
請求項１に記載の配線ダクト及び配線カバーの取付構造。
【請求項３】
前記配線ダクトの幅を、前記一対の連結ビームの間隔よりも小さくしてなる、
請求項２に記載の配線ダクト及び配線カバーの取付構造。
【請求項４】
前記連結体の連結部は、前記天板の後端縁を位置決めする位置決め部を有する、
請求項１〜３の何れか１項に記載の配線ダクト及び配線カバーの取付構造。
【請求項５】
前記連結体は、前記間隙の前後方向の中央部に備えるセンターカバーを支持するセンターカバー支持部を有する、
請求項１〜４の何れか１項に記載の配線ダクト及び配線カバーの取付構造。
【請求項６】
前記連結体は、前記間隙の前後方向の中央部に備える机上パネルの支柱を支持する支柱支持部を有する、
請求項１〜５の何れか１項に記載の配線ダクト及び配線カバーの取付構造。
【発明の詳細な説明】
【技術分野】
【０００１】
本発明は、前後の天板間の間隙の下方に備える配線ダクトの取付構造、及び前記間隙に備える配線カバーの取付構造に関する。
【背景技術】
【０００２】
従来から配線機能を備えた家具や什器は各種提供されており、前後の天板間の間隙の下方に配線ダクトを設けるとともに、前記間隙に開閉可能な配線カバーを設けたデスク及びテーブル等は周知である（例えば、特許文献１及び２参照）。
【０００３】
特許文献１では、天板１，１の下面に配線ダクト２を取り付け、配線ダクト２の対向する壁面２ｂ，２ｂに、カバー受け金具５の爪５ａ，５ｂを係合することにより、配線ダクト２によりカバー受け金具５を支持し、カバー受け金具５にブロック装着部材６を装着している。そして、ブロック装着部材６の装着穴７，８に支持軸ブロック１１，１２を嵌入し、支持軸ブロック１１，１２により、配線カバー３，４を回動可能に支持している。
特許文献１の配線ダクト２は、天板１，１の下面に取り付けるので、配線ダクト２上に所要の配線スペースを確保しやすい。
【０００４】
特許文献２では、脚２０，２０の上部連結部材２２，２２間に設けた二本一対のビーム４０，４０の対向する内側面に、金属製の板材を中空の板状に折り曲げて構成した底部材４９を溶接等により固定している。そして、底部材４９の上面に取り付けたオプション支持部材Ａにより、配線カバー５１，５１を回動可能に支持している。
特許文献２の底部材４９は、ビーム４０，４０の内側面に溶接等により固定するので、底部材４９上に所要の配線スペース（配線挿通部５０のスペース）を確保できない場合があるとともに、組立作業性が低下する。その上、底部材４９の溶接コスト及び塗装コストが増大する。
【先行技術文献】
【特許文献】
【０００５】
【特許文献１】特許第５３０６０１８号公報
【特許文献２】特開２０１７−８６４３７号公報
【発明の概要】
【発明が解決しようとする課題】
【０００６】
以上のような従来の、前後の天板間の間隙の下方に配線ダクトを取り付ける構造、及び前記間隙に開閉可能な配線カバーを取り付ける構造は、それらの構造をより簡素化しながら、組立性及び機能性を高めるという観点で見ると改良の余地がある。
【０００７】
そこで、本発明が前述の状況に鑑み、解決しようとするところは、天板を備えた家具において、配線ダクト上に所要の配線スペースを確保しやすく、簡素な構成で組立作業性及び機能性が高い配線ダクト及び配線カバーの取付構造を提供する点にある。
【課題を解決するための手段】
【０００８】
本発明に係る配線ダクト及び配線カバーの取付構造は、前記課題解決のために、前後方向に間隙を空けて後端縁を対向させて配設した２枚の天板を少なくとも有し、
前記天板を支持する複数の脚体と、
前記天板の下面側後端部に位置して左右方向へ延びる、前記脚体同士を連結する一対の平行な連結ビームとを含む、天板を備えた家具における、
前記間隙の下方に備える配線ダクトの取付構造、及び前記間隙に備える配線カバーの取付構造であって、
前記一対の連結ビームを前後方向に繋ぐ連結体を、左右方向に離間させて複数備え、
前記連結体は、
前記一対の連結ビーム間にわたる連結部と、
前記連結部から下方へ突出して前記連結部よりも下方の前記配線ダクトを支持する配線ダクト支持部と、
前記連結部よりも上方の前記配線カバーを支持する配線カバー支持部と、
を有することを特徴とする（請求項１）。
【０００９】
このような構成によれば、天板の下面側後端部に位置して左右方向へ延びる、脚体同士を連結する一対の平行な連結ビームを、連結ビーム間にわたる連結部を有する、左右方向に離間した複数の連結体が前後方向に繋いでいるので、天板を備えた家具の構造強度が高くなる。
その上、連結部から下方へ突出する配線ダクト支持部が連結部よりも下方の配線ダクトを支持することから、連結体と配線ダクトとの間に間隔があるので、配線ダクト上に所要の配線スペースを確保しやすい。
その上さらに、配線ダクトをシンプルかつコンパクトな構成とすることができるので、天板を備えた家具の製造コストを低減できるとともに組立作業性を向上できる。
【００１０】
ここで、前記一対の連結ビームは、
それらの対向面に係合凸部を備え、
前記連結体は、
前記連結部の前後方向両端部に、前記係合凸部に係合する、下方に開口する係合凹部を備えるのが好ましい実施態様である（請求項２）。
【００１１】
このような構成によれば、脚体に一対の連結ビームを取り付けた状態で、連結体の連結部の前後方向両端部の下方に開口する係合凹部を、一対の連結ビームの対向面の係合凸部に近づけるように、連結体を上方から落とし込むことにより、連結ビームと連結体との連結が完了するので、天板を備えた家具の組立作業性がさらに向上する。
その上、脚体に天板を取り付けた後に、連結体の連結部を天板にねじ止めすることにより、天板と連結体を強固に連結できる。
【００１２】
また、前記配線ダクトの幅を、前記一対の連結ビームの間隔よりも小さくしてなるのがより好ましい実施態様である（請求項３）。
【００１３】
このような構成によれば、複数の連結体の配線ダクト支持部に配線ダクトを取り付けて形成した部分組立体を、脚体に取り付けた一対の連結ビームに対し、一対の連結ビーム間に上方から落とし込んで、連結体の連結部の前後方向両端部の下方に開口する係合凹部を、一対の連結ビームの対向面の係合凸部に係合する。それにより、前記部分組立体の連結ビームへの取付けが完了するので、天板を備えた家具の組立作業性を一層向上できる。
【００１４】
さらに、前記連結体の連結部は、前記天板の後端縁を位置決めする位置決め部を有するのが一層好ましい実施態様である（請求項４）。
【００１５】
このような構成によれば、脚体に一対の連結ビームを取り付け、連結ビームに連結体を取り付けた後に、天板を脚体及び連結ビーム上に取り付ける際に、連結体の連結部に設けた位置決め部により天板の後端縁を位置決めできるので、天板を備えた家具の組立作業性をより一層向上できる。
【００１６】
さらにまた、前記連結体は、前記間隙の前後方向の中央部に備えるセンターカバーを支持するセンターカバー支持部を有するのが一層好ましい実施態様である（請求項５）。
【００１７】
このような構成によれば、連結体のセンターカバー支持部を用いてセンターカバーを容易に取り付けることができる。天板を備えた家具にセンターカバーを取り付けることにより、天板間の間隙の前後方向の中央部の配線カバー間を塞いで滑らかな外観にすることができるので、天板を備えた家具の美観を向上できる。
【００１８】
また、前記連結体は、前記間隙の前後方向の中央部に備える机上パネルの支柱を支持する支柱支持部を有するのがより一層好ましい実施態様である（請求項６）。
【００１９】
このような構成によれば、連結体の支柱支持部を用いて机上パネルを容易に取り付けることができる。天板を備えた家具に机上パネルを取り付けることにより、対面型のデスク及びテーブル等の家具において、机上パネルによる仕切り及び目隠し機能により、使用者のパーソナルスペースを確保できる。
【発明の効果】
【００２０】
以上のように、本発明に係る配線ダクト及び配線カバーの取付構造によれば、天板を備えた家具に前記機能を備えた連結体を備えており、このような複合的な機能を有する連結体を用いることにより、配線ダクト上に所要の配線スペースを確保しやすく、簡素な構成で組立作業性及び機能性が高くなるという顕著な効果を奏する。
【図面の簡単な説明】
【００２１】
【図１】本発明の実施の形態に係る配線ダクト及び配線カバーの取付構造を適用したワークベンチの一例を示す斜視図である。
【図２】図１から、机上パネル、センターカバー及びセンターカバー支持具、配線カバー、並びに天板を省略した要部拡大斜視図である。
【図３】二つの連結体の配線ダクト支持部に配線ダクトを取り付けて形成した部分組立体を、一対の連結ビームに取り付けた状態を示す要部拡大斜視図である。
【図４】前記部分組立体の斜視図である。
【図５】前記部分組立体の分解斜視図である。
【図６】前記部分組立体の斜視図とともに示す、連結ビーム及び係合凸部の分解斜視図である。
【図７】前記部分組立体の斜視図とともに示す、脚体に連結ビームを取り付けた構造体を示す斜視図である。
【図８】前記構造体に前記部分組立体を取り付けた状態の斜視図、並びに、天板、センターカバー及びセンターカバー支持具の分解斜視図である。
【図９】連結体まわりを示す要部拡大部分断面図であり、本体に配線カバー支持具及びセンターカバー支持具を装着し、配線ダクト及びセンターカバーを支持した状態を示している。
【図１０】連結体の斜視図であり、本体に配線カバー支持具及びセンターカバー支持具を装着した状態を示している。
【図１１】連結体を構成する、本体、配線カバー支持具及びセンターカバー支持具の分解斜視図である。
【図１２】配線カバー支持具を裏面側から見た斜視図である。
【図１３】配線カバーへの当接部材及び配線カバー支持具の取付け方法の説明図であり、（ａ）は配線カバーの裏面側から見た分解斜視図、（ｂ）は配線カバーに当接部材及び配線カバー支持具を取り付けた状態を示す配線カバーの裏面側から見た斜視図である。
【図１４】連結体まわりを示す要部拡大部分断面図であり、図９においてさらに連結体により配線カバー及び机上パネルを支持した状態を示している。
【図１５】連結体まわりを示す要部拡大部分断面図であり、図１４で配線カバーを上方へ回動させた状態を示している。
【図１６】図１のワークベンチにおいて、配線カバー、並びに机上パネル及び支柱を取り外して示す要部拡大部分分解斜視図である。
【図１７】図１のワークベンチにおいて、別構成の机上パネルに交換した机上パネルの変形例を示す斜視図である。
【図１８】図１７のワークベンチにおいて、机上パネル及び支柱を取り外して示す要部拡大部分分解斜視図である。
【図１９】片面型のワークベンチを示す斜視図である。
【図２０】片面型のワークベンチに用いる連結体の一例を示す要部拡大分解斜視図である。
【図２１】連結体まわりを示す要部拡大部分断面図である。
【発明を実施するための形態】
【００２２】
次に、添付図面に示した実施形態に基づき、本発明を更に詳細に説明する。
本発明の対象である天板を備えた家具は、執務室、会議室、及び応接室等のオフイス用家具の他、店舗用の家具や家庭用の家具等も含み、前後方向に間隙を空けて後端部を対向させて配設した２枚の天板を少なくとも有するものであればよい。
椅子に座って家具（以下の実施形態ではワークベンチＢ１，Ｂ１）の天板に向かった状態で、手前側を前、その反対側を後、左側を左、右側を右とする。
本発明の実施の形態に係る配線ダクト及び配線カバーの取付構造における連結体（対面型のワークベンチＢ１に用いる連結体Ｚ１）は、配線ダクトを支持する機能及び配線カバーを支持する基本機能の他に、脚体同士を連結する一対の連結ビームを連結して家具の構造強度を高める機能、天板を前後方向に位置決めする機能、センターカバーを支持する機能、及び机上パネルを支持する機能も備える。
【００２３】
＜対面型のワークベンチ＞
図１の斜視図に示す本発明の実施の形態に係る配線ダクト及び配線カバーの取付構造を適用したワークベンチＢ１は、前後方向に間隙Ａを空けて後端縁１Ａ，１Ａを対向させて配設した２枚の天板１，１を左右に配置した対面型であり、テーブルと基本構成は同じであるが、天板１，１，…を支持する複数の脚体２，２，…の高さが低い設定である。
間隙Ａには、天板１の横幅（左右方向の長さ）の半分の長さに分割して配置した前後の配線カバー５，５，…、及び配線カバー５，５間のセンターカバーＦ，Ｆ，…を備え、センターカバーＦ，Ｆ，…上に机上パネルＧ１，Ｇ１を備える。
配線カバー５，５，…には、コンセント開口５Ａ，５Ａ，…を形成しているので、配線カバー５，５，…を閉じた状態で、コンセント開口５Ａ，５Ａ，…からコンセントＨ，Ｈ，…が露出する。
【００２４】
図１及び図２の斜視図に示すように、ワークベンチＢ１は、天板１，１を支持する複数の脚体２，２として、端部脚体２Ａ，２Ａ、及び中間部脚体２Ｂを備え、端部脚体２Ａは天板受け具Ｅ１，Ｅ１を、中間部脚体２Ｂは天板受け具Ｅ２を備える。
脚体２，２同士は、天板１，１，…の下面側後端部に位置して左右方向へ延びる、一対の平行な連結ビーム３，３で連結され、連結ビーム３，３は、複数の連結体Ｚ１，Ｚ１，…により前後方向に繋がれる。
【００２５】
＜連結体の基本機能＞
図３の要部拡大斜視図に示すように、連結体Ｚ１の本体６は、一対の連結ビーム３，３間にわたる連結部７と、連結部７から下方へ突出して連結部７よりも下方の配線ダクト４を支持する配線ダクト支持部８とを有する。
連結体Ｚ１の連結部７から下方へ突出する配線ダクト支持部８が連結部７よりも下方の配線ダクト４を支持することから、連結体７と配線ダクト４との間に間隔があるので、配線ダクト４上に所要の配線スペースを確保しやすい。
また、連結体Ｚ１は、連結部７よりも上方の配線カバー５，５（図１）を支持する、配線カバー支持具９Ａ，９Ｂにより構成される配線カバー支持部９を有する。
よって、連結体Ｚ１は、配線ダクト支持部８により配線ダクト４を支持する機能、及び配線カバー支持部９により配線カバー５，５を支持する機能を有する。
【００２６】
ここで、連結体Ｚ１の本体６、並びに配線カバー支持具９Ａの後述するストローク式ダンパー以外の部分、及び配線カバー支持具９Ｂは、ポリアセタール、ポリプロピレン、ポリエチレンテレフタレート、ナイロン又はＡＢＳ等の合成樹脂により一体成形される。なお、本体６は、ガラス繊維又は炭素繊維等の繊維強化材を添加した合成樹脂材料で成形してもよい。
以上のとおり、配線ダクト４をシンプルかつコンパクトな構成とすることができるので、ワークベンチＢ１の製造コストを低減できるとともに組立作業性を向上できる。
【００２７】
＜複数の連結体と配線ダクトからなる部分組立体＞
図３の要部拡大斜視図、及び図４の斜視図に示す部分組立体Ｙは、２つの連結体Ｚ１，Ｚ１と配線ダクト４を組み付けたものであり、図５の分解斜視図に示すように、配線ダクト４の長手方向（左右方向）の両端部に組み付ける連結体Ｚ１，Ｚ１の組付け方向が異なる（図５の矢印Ｘ１，Ｘ２）。
すなわち、配線ダクト４の一端部（ａ）の前後の掛止片挿入穴４Ａ，４Ａ、及び配線ダクト４の他端部（ｂ）の前後の掛止片挿入穴４Ａ，４Ａは台形状であり、一端部（ａ）の掛止片挿入穴４Ａ，４Ａと他端部（ｂ）の掛止片挿入穴４Ａ，４Ａは点対称である。
そして、連結体Ｚ１の配線ダクト支持部８の下面に設けた前後の掛止片８Ａ，８Ａは、前後の掛止片挿入穴４Ａ，４Ａに合わせた底面視台形状である。
【００２８】
よって、図５に示す配線ダクト４の長手方向の一端部（ａ）では、連結体Ｚ１の配線ダクト支持部８の下面に設けた掛止片８Ａ，８Ａの鉤状の先端部が前方（矢印Ｘ１）を向く方向でのみ、掛止片８Ａ，８Ａは掛止片挿入穴４Ａ，４Ａに係合する。同様に、図５に示す配線ダクト４の長手方向の他端部（ｂ）では、連結体Ｚ１の配線ダクト支持部８の下面に設けた掛止片８Ａ，８Ａの鉤状の先端部が後方（矢印Ｘ２）を向く方向でのみ、掛止片８Ａ，８Ａは掛止片挿入穴４Ａ，４Ａに係合する。
【００２９】
配線ダクト４の長手方向の一端部（ａ）では、連結体Ｚ１の前後の掛止片８Ａ，８Ａを配線ダクト４の前後の掛止片挿入穴４Ａ，４Ａに上方から挿入して配線ダクト４に対して前方（矢印Ｘ１）へ相対移動させると、図９の要部拡大部分断面図に示すように、配線ダクト４の前後の係合穴４Ｂ，４Ｂに前後の弾性係合片８Ｂ，８Ｂが入って抜け止めされた状態で組付けが完了する。
配線ダクト４の長手方向の他端部（ｂ）では、連結体Ｚ１の前後の掛止片８Ａ，８Ａを配線ダクト４の前後の掛止片挿入穴４Ａ，４Ａに上方から挿入して配線ダクト４に対して前方（矢印Ｘ２）へ相対移動させることにより、前記一端部（ａ）と同様に組付けが完了する。
配線ダクト４の長手方向の両端部で連結体Ｚ１を組付けできる方向を限定していることから、ポカよけしながら所要の組立作業を確実に完了できる。そして、配線ダクト４に２つの連結体Ｚ１，Ｚ１を組み付けて部分組立体Ｙの組立が完了した図４の状態では、２つの連結体Ｚ１，Ｚ１は必ず点対称になる。
【００３０】
＜部分組立体の連結ビームへの組付け＞
図６の部分分解斜視図に示すように、一対の連結ビーム３，３の対向面３Ａ，３Ａの丸穴３Ｂ，３Ｂ，…に樹脂又は金属製のクリップ３Ｃ，３Ｃ，…を嵌着することにより、連結ビーム３，３の対向面３Ａ，３Ａに係合凸部Ｃ，Ｃ，…を設ける。
図６の部分分解斜視図に示すように、連結体Ｚ１は、連結部７の前後方向両端部に、係合凸部Ｃ，Ｃに係合する、下方に開口する係合凹部Ｄ，Ｄを備える。
また、図９の要部拡大部分断面図に示すように、配線ダクト４の幅Ｗは、一対の連結ビーム３，３の間隔Ｌよりも小さい。
【００３１】
よって、図７の斜視図、及び図８の斜視図に示すように、配線ダクト４に２つの連結体Ｚ１，Ｚ１を組み付けた部分組立体Ｙを、連結ビーム３，３の上方から落とし込み、左右の連結体Ｚ１，Ｚ１の下方に開口する係合凹部Ｄ，Ｄ，…を、連結ビーム３，３の対向面３Ａ，３Ａに設けた係合凸部Ｃ，Ｃ，…に係合することにより、連結ビーム３，３に対して部分組立体Ｙを容易に組み付けることができる。
その上、連結体Ｚ１，Ｚ１，…は合成樹脂の成形品であり、特許文献２の底部材４９のようにビーム４０，４０の内側面に溶接等で固定する構造のように溶接コスト及び塗装コストが増大しないので、組立作業性の向上とも相俟って製造コストを低減できる。
【００３２】
＜連結体の機能：一対の連結ビームを連結してワークベンチの構造強度を高める機能＞
前記のとおり、複数の連結体Ｚ１，Ｚ１，…は、脚体２，２同士を連結する一対の平行な連結ビーム３，３を前後方向に繋いでいる。例えば、図２の例では、左右方向に延びる連結ビーム３，３の左右方向の４箇所を、４個の連結体Ｚ１，Ｚ１，…が前後方向に繋いでいる。
よって、連結体Ｚ１は、一対の連結ビーム３，３を連結してワークベンチＢ１の構造強度を高める機能を有する。
その上、左右の連結体Ｚ１，Ｚ１の配線ダクト支持部８，８を配線ダクト４で繋いでいるので、ワークベンチＢ１の構造強度はさらに向上する。
【００３３】
＜連結体の機能：天板を位置決めする機能＞
図８の天板等の分解斜視図、及び図９の要部拡大部分断面図に示すように、連結体Ｚ１の連結部７の前後の位置決め部１０，１０の前後の当止部１０Ａ，１０Ａに、前後の天板１，１の後端縁１Ａ，１Ａを当止することにより、天板１，１の前後方向の位置決めが完了する。
よって、連結体Ｚ１は、天板１，１を前後方向に位置決めする機能を有する。それにより、天板１，１を脚体２，２及び連結ビーム３，３上に取り付ける際に、連結体Ｚ１，Ｚ１，…の連結部７に設けた位置決め部１０，１０，…により天板１，１の後端縁１Ａ，１Ａを位置決めできるので、ワークベンチＢ１の組立作業性を一層向上できる。
そして、天板１，１を脚体２，２に固定するとともに、図９のように、連結体Ｚ１の連結部７の前後部の取付穴７Ａ，７Ａ（図３）に取付ボルト２１，２１を通して天板１，１の下面１Ｂ，１Ｂにねじ止めすることにより、天板１，１と連結体Ｚ１，Ｚ１，…を強固に連結できる。
【００３４】
＜連結体の機能：センターカバーを支持する機能及び机上パネルを支持する機能＞
図８の天板等の分解斜視図、及び図９の要部拡大部分断面図に示すように、連結体Ｚ１には、センターカバー支持具１１Ａを取り付けることができ、それによりセンターカバー支持部１１になる。
よって、連結体Ｚ１は、図１及び図９のように、センターカバーＦを支持する機能を有する。
また、連結体Ｚ１は、図１１の分解斜視図に示す、支柱支持部１１Ｂである支柱支持穴Ｔに嵌入した、机上パネルＧ１の支柱Ｖ１（図１４）を支持する。
よって、連結体Ｚ１は、図１及び図１４のように、机上パネルＧ１を支持する機能を有する。
【００３５】
連結体Ｚ１のセンターカバー支持部１１を用いてセンターカバーＦを容易に取り付けることができることから、ワークベンチＢ１にセンターカバーＦを取り付けることにより、天板１，１間の間隙Ａの前後方向の中央部の配線カバー５，５間を塞いで滑らかな外観にすることができるので、ワークベンチＢ１の美観を向上できる。
また、連結体Ｚ１のセンターカバー支持部１１を用いて机上パネルＧ１を容易に取り付けることができることから、対面型のワークベンチＢ１に机上パネルＧ１を取り付けることにより、机上パネルＧ１による仕切り及び目隠し機能により、使用者のパーソナルスペースを確保できる。
【００３６】
＜配線カバー支持部の詳細＞
図１０の斜視図、及び図１１の分解斜視図に示すように、連結体Ｚ１の配線カバー支持部９は、配線カバー支持具９Ａ，９Ｂを本体６に組み付けることにより構成する。
配線カバー支持具９Ａは、支持筒１５内に収容したストローク式ダンパーの作動ピン１６が上方へ突出しており、作動ピン１６の上端は半球状である。このストローク式ダンパーにより、後述するように配線カバー５から手を離してもゆっくりと閉じるソフトクローズ機能を有する。
配線カバー支持具９Ｂは、ストロークダンパーを備えないので、配線カバー支持具９Ｂには前記ソフトクローズ機能はない。
【００３７】
図１０の斜視図のように連結体Ｚ１の本体６に対して配線カバー支持具９Ａ，９Ｂを組み付ける作業について説明する。
図１１の分解斜視図に示すように、連結体Ｚ１の本体６の配線カバー支持具９Ａが組み付く箇所には、配線カバー支持具９Ａの支持筒１５を収容する丸穴Ｏ１があるとともに、図１２の裏面側から見た斜視図に示す配線カバー支持具９Ａの２つの係合凸部Ｋ１，Ｋ１が係合する２つの係合穴Ｍ１，Ｍ１がある。
よって、図１１の分解斜視図のように本体６の配線カバー支持具９Ａが組み付く箇所に配線カバー支持具９Ａを組み付ける際には、配線カバー支持具９Ａの支持筒１５を本体６の丸穴Ｏ１に収容し、配線カバー支持具９Ａの係合凸部Ｋ１，Ｋ１を本体６の係合穴Ｍ１，Ｍ１に係合した状態で、配線カバー支持具９Ａの弾性係合片Ｉ１，Ｉ１，…が本体６の係合凹部Ｊ１，Ｊ１，…に係合するので、配線カバー支持具９Ａを本体６に容易に組み付けることができる。
【００３８】
また、図１１の分解斜視図に示すように、連結体Ｚ１の本体６の配線カバー支持具９Ｂが組み付く箇所には、配線カバー支持具９Ｂの凹所Ｎ内に入る突片Ｐ，Ｐがあるとともに、図１２の裏面側から見た斜視図に示す配線カバー支持具９Ｂの４つの係合凸部Ｋ２，Ｋ２，…が係合する４の係合穴Ｍ２，Ｍ２，…がある。
よって、図１１の分解斜視図のように本体６の配線カバー支持具９Ｂが組み付く箇所に配線カバー支持具９Ｂを組み付ける際には、配線カバー支持具９Ｂの凹所Ｎ内に本体６の突片Ｐ，Ｐが入り、配線カバー支持具９Ｂの係合凸部Ｋ２，Ｋ２，…を本体６の係合穴Ｍ２，Ｍ２，…に係合した状態で、配線カバー支持具９Ｂの弾性係合片Ｉ１，Ｉ１，…が本体６の係合凹部Ｊ１，Ｊ１，…に係合するので、配線カバー支持具９Ｂを本体６に容易に組み付けることができる。
【００３９】
本体６の配線カバー支持具９Ａが組み付く箇所に配線カバー支持具９Ｂを組み付けようとすると、配線カバー支持具９Ｂの４つの係合凸部Ｋ２，Ｋ２，…に対して２つの係合穴Ｍ１，Ｍ１しかないので、配線カバー支持具９Ｂを組み付けることはできない。
また、本体６の配線カバー支持具９Ｂが組み付く箇所に配線カバー支持具９Ａを組み付けようとすると、突片Ｐ，Ｐが配線カバー支持具９Ａの裏面に当たるので、配線カバー支持具９Ａを組み付けることはできない。
よって、連結体Ｚ１の本体６の配線カバー支持具９Ａが組み付く箇所にのみ配線カバー支持具９Ａを組み付けることができ、連結体Ｚ１の本体６の配線カバー支持具９Ｂが組み付く箇所にのみ配線カバー支持具９Ｂを組み付けることができるので、連結体Ｚ１の本体６に配線カバー支持具９Ａ，９Ｂを組み付ける作業を、ポカよけしながら確実に完了できる。
このようにして本体６に対して配線カバー支持具９Ａ，９Ｂを確実に組み付けた図１０に示す連結体Ｚ１は、前後非対称である。よって、前述のとおり２つの連結体Ｚ１，Ｚ１を必ず点対称に配置する必要がある図４に示す部分組立体Ｙを組み立てる作業におけるポカよけが有効になる。
【００４０】
なお、本実施の形態では、前述のとおり、配線カバー支持具９Ａにストローク式ダンパーを備え、配線カバー支持具９Ｂにはストローク式ダンパーを備えないので、１つ配線カバー５に対して１つのストローク式ダンパーを備えるように設定している。
【００４１】
＜配線カバー支持具への配線カバーの取付け＞
図１０の斜視図、及び図１１の分解斜視図に示すように、配線カバー支持具９Ａ，９Ｂは、連結体Ｚ１の前後方向中央寄りに位置する支持台１２に、左右方向の支軸１３，１３を一体的に設けている。
支軸１３，１３には上方へ開口し軸方向に延びたスリット１４，１４を形成していることから、支軸１３，１３の外径は弾性的に縮小できる。それにより、図１３（ａ）の裏面側から見た分解斜視図、及び図１３（ｂ）の裏面側から見た斜視図、並びに図１４の要部拡大部分断面図に示すように、配線カバー５，５の裏面側に形成した断面略Ｃ字形の軸溝５Ｃ，５Ｃに支軸１３，１３を容易に嵌入できる。
【００４２】
支軸１３，１３を軸溝５Ｃ，５Ｃに嵌入した後には、支軸１３，１３は元の形状に弾性的に復元して軸溝５Ｃに密嵌状態となる。よって、配線カバー５，５は、配線カバー支持具９Ａ，９Ｂにより、適度な摩擦抵抗力を持って、回動中心軸となる支軸１３，１３まわりに回動可能に支持される。
なお、配線カバー５，５の先端部には、例えば合成樹脂やゴムからなる軟質片５Ｂ，５Ｂを装着している。
【００４３】
＜配線カバーのソフトクローズ機能＞
図１４の要部拡大部分断面図に示すように、配線カバー支持具９Ａ側の配線カバー５には、ストローク式ダンパーの作動ピン１６が当接する、下に凸の円弧面である当接面２０を有する当接部材１７を設ける。
当接部材１７の軸部１８には上方へ開口し軸方向に延びたスリット１９を形成していることから、軸部１８の外径は弾性的に縮小できる。それにより、図１３（ａ）の裏面側から見た分解斜視図、及び図１３（ｂ）の裏面側から見た斜視図に示すように、配線カバー５の裏面側に形成した断面略Ｃ字形の軸溝５Ｃに軸部１８を容易に嵌入できる。
当接部材１７は、その軸部１８から切欠部５Ｄ（図１３（ａ））を跨いで径方向外方で突出する部分を有し、その下面がストローク式ダンパーの作動ピン１６を受ける当接面２０（図１３（ａ）及び図１４）となる。
【００４４】
配線カバー５，５は、図１４の要部拡大部分断面図のように水平にして天板１，１間の間隙を塞いだ全閉状態から、垂直にした全開状態との間で回動する。
そして、前記全開状態から図１５の要部拡大部分断面図のように配線カバー５を閉じる方向へ回動すると、配線カバー５の当接部材１７の当接面２０にストローク式ダンパーの作動ピン１６が当接する。
図１５の状態から、図１４の状態まで、ストローク式ダンパーの作動ピン１６の半球状の上端が、配線カバー５の下に凸の円弧状の当接面２０に摺接しながら、配線カバー５の自重による回転モーメントの一部を相殺し、配線カバー５から手を離してもゆっくりと閉じる設定にしている。
【００４５】
以上における配線カバー５、及びストローク式ダンパーを備えた配線カバー支持具９Ａの構成において、ストローク式ダンパーの作動ピン１６が当接する当接部材１７を、配線カバー５と別部材としている（例えば、図１３）。
当接部材１７は、配線カバー５と別部材とせずに、下に凸の円弧面である当接面を設けるように配線カバー５に一体的に設けてもよい。
ただし、本実施形態のように別部材で当接部材を設けた方が、押し出し成形する配線カバーの材料を抑えることができる利点がある。
【００４６】
＜ストローク式ダンパーを備えた構成等の作用効果＞
図１４及び図１５に示すように、家具であるワークベンチＢ１のダクト開口部に、回動開閉可能に配線カバー５，５，…を設けた構成において、配線カバー支持具９Ａの軸支部である支軸１３，１３で配線カバー５の基端部を支持し、配線カバー５を上下回動可能に支持している。
そして、配線カバー支持具９Ａの支軸１３，１３の近傍位置にストローク式ダンパーを上下方向に支持し且つ上端部に半球状の当接部を備えたストローク式ダンパーの作動ピン１６を上向きに配置しており、配線カバー５が所定角度の傾斜状態から水平状態に至るまで作動ピン１６が配線カバー５の当接部材１７の当接面２０に当接し、配線カバー５を開く方向へ弾性付勢している。
【００４７】
よって、軸支部に近い位置にストローク式ダンパーを設けたので、配線カバー５を閉じる動作の早い段階からダンパー機能を使用することができ、配線カバー５の重量の差異を吸収することができる。また、ストローク式ダンパーの作動ピン１６と配線カバー５の当接部材１７との接触音も加速度がかかる前に接触することで低減化を図ることができる。回転ダンパーよりも安価なストローク式ダンパーを用いることで、コストダウンが図れるにもかかわらず、回転ダンパーに匹敵する配線カバー５の閉止時の静寂性が得られる。更に、閉止状態から配線カバー５を持ち上げて開く際に、ストローク式ダンパーの弾性付勢力の支援で軽く開くことができる。更に、ストローク式ダンパーの作動ピン１６に斜め方向から荷重が加わり難くなるので、軸支部により近い位置にストローク式ダンパーを配置することができる。本来ダンパー本体にかかる斜め荷重を滑らせ逃がす事で下記効果が可能となる。
【００４８】
その上、ストローク式ダンパーの作動ピン１６が当接する配線カバー５の当接部材１７の当接面２０が下に凸の円弧面であることから、ストローク式ダンパーの作動ピン１６に斜め方向から荷重がさらに加わり難くなるので、軸支部により近い位置にストローク式ダンパーを配置することができる。特に、作動ピン１６の上端部を半球状の当接部とし、ストローク式ダンパーの作動ピン１６が当接する配線カバー５の当接部材１７の当接面２０を下に凸の円弧面とすることにより、作動ピン１６と当接面２０との摺動抵抗を大幅に低減することができる。また、ストローク式ダンパーの耐久性を向上させることができる。
【００４９】
その上さらに、配線カバー５は閉じ切ると水平状態となり、作動ピン１６の当接部を当接面２０の円弧面を経て水平面に当接した状態となるようにすると、配線カバー５を閉じ切って水平状態となった際に、作動ピン１６には軸方向の力しか作用しなくなり、長時間その姿勢を維持してもストローク式ダンパーに無理な力が加わらなくなる。
【００５０】
その上、配線カバー５の本体をアルミニウムの押出し型材で作成し、配線カバー支持具９Ａのストローク式ダンパー以外の部分、及び配線カバー支持具９Ｂを合成樹脂の成形品とし、配線カバー支持具９Ａ，９Ｂに、軸方向を水平に向けて形成したスリット付きの支軸１３，１３を回転可能に密嵌した構造である。それにより、配線カバー５が長尺になっても、剛性が高いので撓みを防止でき、また軸支部にガタツキない回動動作が実現できる。さらに、配線カバー５の軸溝５Ｃに配線カバー支持具９Ａ，９Ｂの支軸１３，１３を嵌合する際には、スリットの存在で支軸１３，１３の外径が弾性的に小さくなるので容易になり、また嵌合した後には支軸が元の形状に復元しようとするので、密嵌状態を維持することができる。
【００５１】
その上さらに、図１０に示すように配線カバー支持具９Ａの支軸１３，１３は、上方へ突設した支持台１２に両側端を左右側方へ突出状態で設け、支軸１３，１３の間には図１３（ｂ）のように当接部材１７が入る。そして、当接部材１７は、その軸部１８から切欠部５Ｄ（図１３（ａ））を跨いで径方向外方へ突出する部分を有する。それにより、配線カバー５の横方向の変位（左右方向への移動）を規制できる。
【００５２】
＜センターカバー支持部、及び支柱支持部の詳細＞
図１０の斜視図、及び図１１の分解斜視図に示すように、連結体Ｚ１のセンターカバー支持部１１は、センターカバー支持具１１Ａを本体６に組み付けることにより構成する。
図１１の分解斜視図のように本体６のセンターカバー支持具１１Ａが組み付く前後方向中央部にセンターカバー支持具１１Ａを組み付ける際には、センターカバー支持具１１Ａの弾性係合片Ｉ２，Ｉ２が本体６の係合凹部Ｊ２，Ｊ２に係合するので、センターカバー支持具１１Ａを本体６に容易に組み付けることができる。
【００５３】
連結体Ｚ１の本体６にセンターカバー支持具１１Ａを組み付けた状態では、図８の天板等の分解斜視図、及び図９の要部拡大部分断面図のように、センターカバーＦを上方からセンターカバー支持部１１に組み付けると、センターカバーＦの内面の係合部Ｒ，Ｒにセンターカバー支持具１１Ａの弾性係合片Ｑ，Ｑ，…が係合するので、センターカバーＦを容易に組み付けることができる。
このようにセンターカバー支持部１１によりセンターカバーＦを支持した状態で、図１４の要部拡大部分断面図、及び図１６の要部拡大部分分解斜視図に示すように、センターカバーＦの通し穴Ｕ，Ｕに支柱Ｖ１，Ｖ１を挿通して、センターカバー支持具１１Ａの通し穴Ｓ（図１０）に挿入し、連結体Ｚ１の支柱支持部１１Ｂである支柱支持穴Ｔ（図１１）に嵌入する。それにより、机上パネルＧ１は、連結体Ｚ１により支持されるので、机上パネルＧ１を容易に組み付けることができる。
なお、センターカバー支持具１１Ａに、机上パネルＧ１の支柱Ｖ１を支持する機能を持たせるようにしてもよい。
【００５４】
＜机上パネルの変形例＞
図１７の斜視図は、図１の斜視図のワークベンチＢ１における天板１の横幅よりも横幅が短い机上パネルＧ１，Ｇ１を、天板１の横幅と横幅が等しい机上パネルＧ２，Ｇ２に交換した例を示している。
この例では、図１８の要部拡大部分分解斜視図に示すように、机上パネルＧ２の一端部に端部目隠し部材２２を装着することにより、センターカバーＦを省略できる。よって、センターカバー支持具１１Ａも不要になる。
すなわち、例えば図９においてセンターカバーＦ及びセンターカバー支持具１１Ａを外した状態で、図１８に示す支柱Ｖ２を、連結体Ｚ１の支柱支持部１１Ｂ（支柱支持穴Ｔ）で支持して机上パネルＧ２を立設した図１７に示す状態では、机上パネルＧ２，Ｇ２間、および配線カバー５の後端と机上パネルＧ２の下端の間にはほぼ隙間がなく、ワークベンチＢ１の左右側面の中央部の隙間は、端部目隠し部材２２で塞がれるため、センターカバーＦ及びセンターカバー支持具１１Ａを省略しても外観上も影響がなく、部品点数を削減できる。
【００５５】
＜片面型のワークベンチに用いる連結体の例＞
次に、図１及び図１７のような対面型のワークベンチＢ１ではなく、片面型のワークベンチに用いる連結体の構成例について、図１９ないし図２１を参照して説明する。
図１９ないし図２１において、図１ないし図１８と同一符号は同一又は相当する部品又は部分であるので、詳細説明は省略する。
【００５６】
図１９の斜視図に示すワークベンチＢ２は、１枚の天板１からなる片面型であり、左右の脚体２，２により天板１を支持し、天板１の後端部に配線カバー５，５を備えるとともに、幕板２７及びバックパネル２８を備える。
ワークベンチＢ２において、図１及び図１７の対面型のワークベンチＢ１の構成部品と、脚体２の一部、及び天板１、並びに、配線カバー５及び配線カバー支持具９Ａ，９Ｂを共通化できる。
【００５７】
図２０の要部拡大分解斜視図、及び図２１の要部拡大部分断面図に示すように、天板１の後端縁１Ａと幕板２７との間に連結体Ｚ２，Ｚ２を備える。
連結体Ｚ２の本体２３は、連結部２４、及び連結部２４の後端部から垂下する配線ダクト・幕板支持部２５からなる。
連結部２４の丸穴２４Ａ，２４Ａに下方から取付ねじ３１，３１を挿入して天板１の下面１Ｂにねじ止めすることにより、天板１に本体２３を取り付ける。
天板１に連結体Ｚ２を取り付ける際の前後方向の位置決めは、天板１の後端縁１Ａに位置決め部３０の当止部３０Ａを当止することにより行う。
【００５８】
連結体Ｚ２の配線ダクト・幕板支持部２５の下面に配線ダクト２６を宛がって、丸穴２６Ａに下方から取付ねじ２９を挿入してねじ穴２５Ａに螺合する。それにより、左右の連結体Ｚ２，Ｚ２の左右の配線ダクト・幕板支持部２５，２５で配線ダクト２６を支持する。
左右の連結体Ｚ２，Ｚ２の一方に配線カバー支持具９Ａを装着し、左右の連結体Ｚ２，Ｚ２の他方に配線カバー支持具９Ｂを装着し、配線カバー支持具９Ａ，９Ｂにより配線カバー５を回動可能に支持する。
【００５９】
配線カバー支持具９Ａは、支持筒１５を本体２３の丸穴Ｏ２に挿入し、係合凸部Ｋ１，Ｋ１を本体２３の係合穴Ｍ３，Ｍ３に係合し、弾性係合片Ｉ１，Ｉ１，…（図１１及び図１２）を本体２３の係合凹部Ｊ３，Ｊ３，…に係合することにより、本体２３に容易に組み付けることができる。
同様に、配線カバー支持具９Ｂは、係合凸部Ｋ２，Ｋ２，…を本体２３の係合穴Ｍ３，Ｍ３，…に係合し、弾性係合片Ｉ１，Ｉ１，…（図１１及び図１２）を本体２３の係合凹部Ｊ３，Ｊ３，…に係合することにより、本体２３に容易に組み付けることができる。
【００６０】
連結体Ｚ２の配線ダクト・幕板支持部２５の後面に幕板２７を宛がって、配線ダクト・幕板支持部２５の前方から丸穴２５Ｂ，２５Ｂに取付ねじ３２，３２を挿入して鬼目ナット２７Ａ，２７Ａに螺合する。それにより、左右の連結体Ｚ２，Ｚ２の左右の配線ダクト・幕板支持部２５，２５で幕板２７を支持する。
幕板２７の後面にバックパネル２８を宛がって、配線ダクト・幕板支持部２５の前方から丸穴２５Ｃ，２５Ｃに取付ねじ３３，３３を挿入し、幕板２７の通し穴を通してバックパネル２８のねじ穴２８Ａ，２８Ａに螺合する。それにより、左右の連結体Ｚ２，Ｚ２の左右の配線ダクト・幕板支持部２５，２５でバックパネル２８も支持できる。
【００６１】
以上の実施の形態の記載はすべてすべて例示であり、これに制限されるものではない。本発明の範囲から逸脱することなく種々の改良及び変更を施すことができる。
【符号の説明】
【００６２】
１  天板                                １Ａ  後端縁
１Ｂ  下面                              ２  脚体
２Ａ  端部脚体                          ２Ｂ  中間部脚体
３  連結ビーム                          ３Ａ  対向面
３Ｂ  丸穴                              ３Ｃ  クリップ
４  配線ダクト                          ４Ａ  掛止片挿入穴
４Ｂ  係合穴                            ５  配線カバー
５Ａ  コンセント開口                    ５Ｂ  軟質片
５Ｃ  軸溝                              ５Ｄ  切欠部
６  本体                                ７  連結部
７Ａ  取付穴                            ８  配線ダクト支持部
８Ａ  掛止片                            ８Ｂ  弾性係合片
９  配線カバー支持部                    ９Ａ，９Ｂ  配線カバー支持具
１０  位置決め部                        １０Ａ  当止部
１１  センターカバー支持部              １１Ａ  センターカバー支持具
１１Ｂ  支柱支持部                      １２  支持台
１３  支軸                              １４  スリット
１５  支持筒                            １６  作動ピン
１７  当接部材                          １８  軸部
１９  スリット                          ２０  当接面
２１  取付ねじ                          ２２  端部目隠し部材
２３  本体                              ２４  連結部
２４Ａ  丸穴                            ２５  配線ダクト・幕板支持部
２５Ａ  ねじ穴                          ２５Ｂ，２５Ｃ  丸穴
２６  配線ダクト                        ２６Ａ  丸穴
２７  幕板                              ２７Ａ  鬼目ナット
２８  バックパネル                      ２８Ａ  ねじ穴
２９  取付ねじ                          ３０  位置決め部
３０Ａ  当止部                          ３１，３２，３３  取付ねじ
Ａ  間隙                                Ｂ１，Ｂ２  ワークベンチ（家具）
Ｃ  係合凸部                            Ｄ  係合凹部
Ｅ１，Ｅ２  天板受け具                  Ｆ  センターカバー
Ｇ１，Ｇ２  机上パネル                  Ｈ  コンセント
Ｉ１，Ｉ２  弾性係合片                  Ｊ１，Ｊ２，Ｊ３  係合凹部
Ｋ１，Ｋ２  係合凸部                    Ｌ  一対の連結ビームの間隔
Ｍ１，Ｍ２，Ｍ３  係合穴                Ｎ  凹所
Ｏ１，Ｏ２  丸穴                        Ｐ  突片
Ｑ  弾性係合片                          Ｒ  係合部
Ｓ  通し穴                              Ｔ  支柱支持穴
Ｕ  通し穴                              Ｖ１，Ｖ２  支柱
Ｗ  配線ダクトの幅                      Ｙ  部分組立体
Ｚ１，Ｚ２  連結体
【図１】
2019083879.tif 000003
【図２】
2019083879.tif 000004
【図３】
2019083879.tif 000005
【図４】
2019083879.tif 000006
【図５】
2019083879.tif 000007
【図６】
2019083879.tif 000008
【図７】
2019083879.tif 000009
【図８】
2019083879.tif 000010
【図９】
2019083879.tif 000011
【図１０】
2019083879.tif 000012
【図１１】
2019083879.tif 000013
【図１２】
2019083879.tif 000014
【図１３】
2019083879.tif 000015
【図１４】
2019083879.tif 000016
【図１５】
2019083879.tif 000017
【図１６】
2019083879.tif 000018
【図１７】
2019083879.tif 000019
【図１８】
2019083879.tif 000020
【図１９】
2019083879.tif 000021
【図２０】
2019083879.tif 000022
【図２１】
2019083879.tif 000023